(57)【要約】【課題】機器の大型化を防止しながらできるだけ大口径のスピーカ本体を使用することができ、広範囲にわたって音を届けることが可能なスピーカ構造を提供する。【解決手段】スピーカ構造１は、音声出力面２ａが表示装置１００の背面側を向くよう表示装置１００の内部に設けたスピーカ本体２と、音声出力面２ａと対向するよう表示装置１００の背面１００ｃに設けた背面音孔３と、音声出力面２ａと背面音孔３との間で音を伝搬させる背面伝搬路４と、表示装置１００の下面１００ａに設けた下面音孔５と、背面伝搬路４から分岐して下面音孔５まで延びて音を伝搬させる下面伝搬路６と、背面伝搬路４及び下面伝搬路６を形成するとともに背面伝搬路４及び下面伝搬路６と表示装置１００の他の内部空間とを仕切る仕切り部７と、を備える。【選択図】図６
2015053540.tif 000002
【特許請求の範囲】
【請求項１】
音声出力面が機器の背面側を向くよう前記機器の内部に設けたスピーカ本体と、
前記音声出力面と対向するよう前記機器の背面に設けた背面音孔と、
前記音声出力面と前記背面音孔との間で音を伝搬させる背面伝搬路と、
前記機器の前記背面とは異なる外平面に設けた少なくとも一つの他所音孔と、
前記背面伝搬路から分岐して前記他所音孔まで延びて音を伝搬させる他所伝搬路と、
前記背面伝搬路及び前記他所伝搬路を形成するとともに前記背面伝搬路及び前記他所伝搬路と前記機器の他の内部空間とを仕切る仕切り部と、
を備えることを特徴とするスピーカ構造。
【請求項２】
前記他所音孔が、前記機器の下面に設けられることを特徴とする請求項１に記載のスピーカ構造。
【請求項３】
前記背面音孔が、前記音声出力面と略平行な方向に前記音声出力面に対して偏在し、その偏在方向が前記他所伝搬路から離れる方向であることを特徴とする請求項１または請求項２に記載のスピーカ構造。
【請求項４】
前記背面音孔及び／または前記他所音孔が、各々が設けられた前記機器の外平面の箇所が他の外平面に向かって湾曲していることを特徴とする請求項１〜請求項３のいずれか１項に記載のスピーカ構造。
【請求項５】
前記背面音孔及び／または前記他所音孔が、スリット形状をなすことを特徴とする請求項１〜請求項４のいずれか１項に記載のスピーカ構造。
【請求項６】
前記背面音孔及び前記他所音孔のいずれか一方或いは両方が、互いの他方の音孔が設けられた方向とは異なる方向に向かって延びる前記スリット形状からなることを特徴とする請求項５に記載のスピーカ構造。
【請求項７】
前記背面音孔及び／または前記他所音孔が設けられた前記機器の外平面に外側に向かって突出する突起部を設けたことを特徴とする請求項１〜請求項６のいずれか１項に記載のスピーカ構造。
【請求項８】
前記他所音孔の内面に前記機器の正面側に向かって延びて広がる傾斜部を設けたことを特徴とする請求項１〜請求項７のいずれか１項に記載のスピーカ構造。
【請求項９】
前記仕切り部の少なくとも一部が、前記スピーカ本体を前記機器の内部で保持するためのスピーカホルダからなることを特徴とする請求項１〜請求項８のいずれか１項に記載のスピーカ構造。
【発明の詳細な説明】
【技術分野】
【０００１】
本発明は機器の内部に設けるスピーカ構造に関する。
【背景技術】
【０００２】
テレビジョン受信機などの映像機器は一般的にテレビジョン放送を視聴するための表示部とスピーカとを備える。そして、音質の向上が図られた様々なスピーカ構造が提案され、そのような従来のスピーカ構造が例えば特許文献１に開示されている。
【０００３】
特許文献１に記載された従来の表示装置のスピーカ構造はスピーカ本体をその音声出力面が表示装置の下方を向くように配置し、音声出力面が対向する、スピーカ本体を配置したカバー部材の下面側に設けた出力孔と、カバー部材の背面側に設けた微細孔とを備える。これにより、表示装置の小型化、薄型化を可能にしながら、スピーカ構造の音質の向上を図っている。
【先行技術文献】
【特許文献】
【０００４】
【特許文献１】実用新案登録第３１７９０２７号公報
【発明の概要】
【発明が解決しようとする課題】
【０００５】
しかしながら、上記従来のスピーカ構造は音声出力面が表示装置の画面と略直角をなすよう下向きにスピーカ本体が配置されている。したがって、比較的大口径のスピーカ本体を配置すると、表示装置の背面側のハウジングが大型化し、ひいては表示装置が大型化する虞がある。
【０００６】
また、上記従来のスピーカ構造は音を外部に出力するための音孔が下面側と背面側との２箇所に配置されているが、スピーカ本体から音孔までの間に音の伝搬路が好適に形成されていない。したがって、スピーカ本体が出力する音が音孔を出るまでに減衰する可能性があり、例えば表示装置を設置した室内全体ではっきりと音が聞こえるようにすることができないことが懸念される。
【０００７】
本発明は、上記の点に鑑みなされたものであり、機器の大型化を防止しながらできるだけ大口径のスピーカ本体を使用することができ、広範囲にわたって音を届けることが可能なスピーカ構造を提供することを目的とする。
【課題を解決するための手段】
【０００８】
上記の課題を解決するため、本発明のスピーカ構造は、音声出力面が機器の背面側を向くよう前記機器の内部に設けたスピーカ本体と、前記音声出力面と対向するよう前記機器の背面に設けた背面音孔と、前記音声出力面と前記背面音孔との間で音を伝搬させる背面伝搬路と、前記機器の前記背面とは異なる外平面に設けた他所音孔と、前記背面伝搬路から分岐して前記他所音孔まで延びて音を伝搬させる他所伝搬路と、前記背面伝搬路及び前記他所伝搬路を形成するとともに前記背面伝搬路及び前記他所伝搬路と前記機器の他の内部空間とを仕切る仕切り部と、を備えることを特徴としている。
【０００９】
この構成によれば、スピーカ本体の音声出力面が機器の背面側を向くので、例えばテレビジョン受信機といった表示装置に本発明のスピーカ構造を設けると、音声出力面が表示装置の画面と略平行をなす。したがって、表示装置が大型化することを抑制しながら、表示装置に比較的大口径のスピーカ本体を設けることができる。また、スピーカ構造は背面伝搬路と他所伝搬路とを備えるので、音声を必要以上に拡散させることなく背面音孔及び他所音孔まで導く。したがって、スピーカ本体が出力する音の音孔を出るまでの減衰が抑制される。
【００１０】
また、上記構成のスピーカ構造において、前記他所音孔が、前記機器の下面に設けられることを特徴としている。
【００１１】
この構成によれば、スピーカ本体が出力する音が機器の背面方向に加えて下面方向にも送出される。したがって、音が広範囲にわたって届くようになる。
【００１２】
また、上記構成のスピーカ構造において、前記背面音孔が、前記音声出力面と略平行な方向に前記音声出力面に対して偏在し、その偏在方向が前記他所伝搬路から離れる方向であることを特徴としている。
【００１３】
この構成によれば、スピーカ本体が出力する音が背面音孔に対して他所伝搬路側の機器内面に反射する割合が多くなり、音が他所伝搬路へ向かう割合が多くなる。したがって、背面音孔から送出される音量と他所音孔から送出される音量との調節が容易になる。
【００１４】
また、上記構成のスピーカ構造において、前記背面音孔及び／または前記他所音孔が、各々が設けられた前記機器の外平面の箇所が他の外平面に向かって湾曲していることを特徴としている。
【００１５】
この構成によれば、背面音孔及び他所音孔各々に関して、スピーカ構造は機器の２つの外平面から音を送出する。したがって、音がより一層広範囲にわたって届くようになる。
【００１６】
また、上記構成のスピーカ構造において、前記背面音孔及び／または前記他所音孔が、スリット形状をなすことを特徴としている。
【００１７】
この構成によれば、スピーカ本体が出力する音が、スリットが延びる方向に沿って送出され易くなる。したがって、音が一層広範囲にわたって届くようになる。
【００１８】
また、上記構成のスピーカ構造において、前記背面音孔及び前記他所音孔のいずれか一方或いは両方が、互いの他方の音孔が設けられた方向とは異なる方向に向かって延びる前記スリット形状からなることを特徴としている。
【００１９】
この構成によれば、一方の音孔のスリットが、他方の音孔が存在しない方向に向かって延びる。したがって、音がより一層広範囲にわたって届くようになる。
【００２０】
また、上記構成のスピーカ構造において、前記背面音孔及び／または前記他所音孔が設けられた前記機器の外平面に外側に向かって突出する突起部を設けたことを特徴としている。
【００２１】
この構成によれば、例えば機器を床面上や壁面近くに設置した場合に、突起部が床面や壁面に当接することで、背面音孔及や他所音孔と床面や壁面との間に空間が生じる。したがって、背面音孔及や他所音孔が床面や壁面によって塞がれることがなく、スピーカ本体が出力する音が音孔から好適に送出される。
【００２２】
また、上記構成のスピーカ構造において、前記他所音孔の内面に前記機器の正面側に向かって延びて広がる傾斜部を設けたことを特徴としている。
【００２３】
この構成によれば、スピーカ本体が出力する音が機器の正面側に送出され易くなる。したがって、音がより一層広範囲にわたって届くようになる。
【００２４】
また、上記構成のスピーカ構造において、前記仕切り部の少なくとも一部が、前記スピーカ本体を前記機器の内部で保持するためのスピーカホルダからなることを特徴としている。
【００２５】
この構成によれば、仕切り部の一部がスピーカホルダとして形成され、仕切り部とスピーカホルダとの各々全体を個別に形成する必要がない。したがって、音が広範囲にわたって届くようになることに加えて、スピーカ構造の低コスト化を図り得る。
【発明の効果】
【００２６】
本発明の構成によれば、機器の大型化を防止しながらできるだけ大口径のスピーカ本体を使用することができ、広範囲にわたって音を届けることが可能なスピーカ構造を提供することができる。
【図面の簡単な説明】
【００２７】
【図１】本発明の第１実施形態のスピーカ構造を備えた表示装置の正面図である。
【図２】本発明の第１実施形態のスピーカ構造を備えた表示装置の下面図である。
【図３】本発明の第１実施形態のスピーカ構造を備えた表示装置の背面図である。
【図４】本発明の第１実施形態のスピーカ構造を備えた表示装置の側面図である。
【図５】本発明の第１実施形態のスピーカ構造を備えた表示装置の垂直断面図である。
【図６】本発明の第１実施形態のスピーカ構造を示す垂直断面図である。
【図７】本発明の第１実施形態のスピーカ構造を備えた表示装置の後キャビネットを内側から見た斜視図である。
【図８】本発明の第１実施形態のスピーカ構造を備えた表示装置の後キャビネットのスピーカ構造の箇所を内側から見た斜視図である。
【図９】本発明の第１実施形態のスピーカ構造を示す垂直断面図であって、表示装置の設置状態及び音声出力状態を示すものである。
【図１０】本発明の第１実施形態のスピーカ構造を示す上面図であって、表示装置の設置状態及び音声出力状態を示すものである。
【図１１】本発明の第２実施形態のスピーカ構造を示す垂直断面図である。
【図１２】本発明の第２実施形態のスピーカ構造の下面音孔の箇所を示す垂直断面図である。
【図１３】本発明の第３実施形態のスピーカ構造を示す垂直断面図である。
【発明を実施するための形態】
【００２８】
以下、本発明の実施形態を図１〜図１３に基づき説明する。なおここでは、表示装置に備えられたスピーカ構造を例に掲げて説明する。
【００２９】
＜第１実施形態＞
最初に、本発明の第１実施形態のスピーカ構造を備えた表示装置について、図１〜図５を用いてその構成の概略を説明する。図１〜図４はスピーカ構造を備えた表示装置の正面図、下面図、背面図及び側面図である。図５は表示装置の垂直断面図である。なお、図２の上方及び図５の右方が表示装置の正面（前方）であり、図２の下方及び図５の左方が表示装置の背面（後方）である。
【００３０】
表示装置１００は映像の表示に例えば液晶パネルを用いた表示装置であって、図１に示すように表示部１０１が左右方向に長く延びる平面視略矩形をなす。表示装置１００は下面１００ａに外側、すなわち下方に向かって突出する突起部からなる４箇所の脚部１０２を備える。４箇所の脚部１０２が表示装置１００を床面に立てて置いた姿勢にして支持する。
【００３１】
表示装置１００は略扁平な矩形箱形状をなすハウジングである外装キャビネット１０３を備える。外装キャビネット１０３は、図１〜図５に示すように前キャビネット１０３Ｆと、後キャビネット１０３Ｒとからなる。前キャビネット１０３Ｆは正面側に表示部１０１が臨む矩形の開口部が形成された所謂額縁形状にして構成される。後キャビネット１０３Ｒは前キャビネット１０３Ｆの背面側をカバーするように前キャビネット１０３Ｆに嵌合し、矩形箱形状の外装キャビネット１０３を形成する。
【００３２】
なお、外装キャビネット１０３は矩形箱形状をなすと述べたが、具体的に言えば、図２〜図５に示すように後キャビネット１０３Ｒが丸みを帯びた形状をなす。例えば図２に示すように、後キャビネット１０３Ｒの背面１００ｃは左右の側面１００ｂと滑らかに接続するように湾曲している。
【００３３】
表示装置１００は外装キャビネット１０３の内部に、表示部１０１、スピーカ構造１及び制御部１０４を備える。
【００３４】
表示部１０１は矩形の略板状をなし、前キャビネット１０３Ｆの正面開口部のすぐ内側に配置される。表示部１０１は前述のように例えば液晶パネルとその光源であるバックライトユニットとを備える。
【００３５】
スピーカ構造１は後キャビネット１０３Ｒの下部に配置される。スピーカ構造１は左右対称となるように後キャビネット１０３Ｒの左側及び右側各々に１個ずつ配置される。２箇所のスピーカ構造１は各々同様の構成をなす。スピーカ構造１の詳細な構成の説明は後述する。
【００３６】
制御部１０４は不図示の演算部やその他の電子部品が制御基板に実装されて構成される。制御部１０４は不図示の記憶部等に記憶、入力されたプログラム、データに基づき、表示装置１の各構成要素の動作を制御して一連の映像音声の出力処理を実現する。
【００３７】
続いて、スピーカ構造１の詳細な構成について、図２〜図５に加えて図６〜図１０を用いて説明する。図６はスピーカ構造１を示す垂直断面図、図７は後キャビネット１０３Ｒを内側から見た斜視図、図８は後キャビネット１０３Ｒのスピーカ構造１の箇所を内側から見た斜視図である。図９及び図１０はスピーカ構造１を示す垂直断面図及び上面図であって、各々表示装置１００の設置状態及び音声出力状態を示すものである。なお、図９及び図１０に描画した白抜き矢印はスピーカ構造１が出力する音声の送出方向を示す。
【００３８】
スピーカ構造１は、図６に示すようにスピーカ本体２、背面音孔３、背面伝搬路４、他所音孔である下面音孔５、他所伝搬路である下面伝搬路６及び仕切り部７を備える。
【００３９】
スピーカ本体２はその音声出力面２ａが表示装置１００の背面側を向くように配置される。音声出力面２ａは表示部１０１の画面と略平行をなす。スピーカ本体２は不図示のボイスコイルや磁石、ダンパー、振動板（コーン）、センターキャップなどといった構成要素を備えてなる既知の一般的構成のスピーカである。なお、スピーカ本体２が出力する音声の大部分は音声出力面２ａから後方に向かって送出されるが、音声の一部はスピーカ本体２から直接前方に送出される。
【００４０】
背面音孔３はスピーカ本体２の音声出力面２ａと対向するよう表示装置１００の背面１００ｃに設けられる。背面音孔３は横方向に延び、上下方向に並べられた複数のスリット形状をなす。背面音孔３はその前後方向に延びる中心軸線ＣＬ３がスピーカ本体２の音声出力面２ａの中心軸線ＣＬ２と一致するよう配置される。また、表示装置１００の背面１００ｃの背面音孔３が設けられた箇所は表示装置１００の側面１００ｂに向かって湾曲している。これにより、背面音孔３は、図４に示すように表示装置１００の背面側に加えて側面側にも臨む。
【００４１】
背面伝搬路４はスピーカ本体２の音声出力面２ａから表示装置１００の背面１００ｃの背面音孔３まで真っ直ぐ後方に向かって延びる。背面伝搬路４は音声出力面２ａと背面音孔３との間で音を伝搬させる。
【００４２】
下面音孔５は表示装置１００の下面１００ａであって、スピーカ本体２の下方に対応する箇所に設けられる。下面音孔５は横方向に延び、前後方向に並べられた複数のスリット形状をなす。すなわち、背面音孔３及び下面音孔５の両方は各々スリットが、互いの他方の音孔が設けられた方向とは異なる方向に向かって延びる。
【００４３】
下面伝搬路６は背面伝搬路４から分岐して下面音孔５まで延びる。下面伝搬路６はスピーカ本体２の音声出力面２ａと下面音孔５との間で音を伝搬させる。
【００４４】
仕切り部７は後キャビネット１０３Ｒの内面との間に背面伝搬路４及び下面伝搬路６を形成する略樋形状をなすとともに、背面伝搬路４及び下面伝搬路６と表示装置１００の他の内部空間とを仕切っている。すなわち、背面伝搬路４及び下面伝搬路６は仕切り部７によって表示装置１００の他の内部空間に対して独立した空間となっている。
【００４５】
仕切り部７の一部は、図６〜図８に示すようにスピーカホルダ８として構成される。スピーカホルダ８はスピーカ本体２を表示装置１００の内部であって後キャビネット１０３Ｒの所定位置で保持するための部材である。スピーカホルダ８はスピーカ本体２と後キャビネット１０３Ｒの仕切り部７の箇所との間に挟まれ、２本のビス８ａにより締め付けられて固定される。
【００４６】
なお、スピーカホルダ８は例えば合成樹脂からなるが、例えばゴムなどの弾性体で形成しても良い。スピーカホルダ８がゴムなどの弾性体からなることにより、びびり音の発生を抑制することができる。また、スピーカホルダ８はビス８ａ等により締め付けることなく、例えばスナップフィット構造で固定しても良い。
【００４７】
上記構成の表示装置１００は、例えば図９に示すように床面上に設置される。前述のように、４箇所の脚部１０２が表示装置１００を床面Ｆに立てて置いた姿勢にして支持する。４箇所の脚部１０２により表示装置１００の下面１００ａと床面Ｆとの間に空間が形成される。
【００４８】
スピーカ本体２は音声出力面２ａから表示装置１００の後方に向かって音声を出力する。音声出力面２ａから表示装置１００の後方に向かって出力された音声の一部は背面伝搬路４及び背面音孔３を通過して表示装置１００の背面側の外部に送出される。
【００４９】
背面音孔３を通過した音声の一部は、例えば図１０に示すように表示装置１００の後方の壁面Ｗに反射して表示装置１００の前方に届く。背面音孔３が横方向に延びるスリット形状をなし、さらに背面音孔３が設けられた箇所が側面１００ｂに向かって湾曲しているので、背面音孔３を通過した音声の一部は表示装置１００の横方向へも送出される。
【００５０】
また、音声出力面２ａから表示装置１００の後方に向かって出力された音声の一部は後キャビネット１０３Ｒの内面で反射する。後キャビネット１０３Ｒの内面で反射した音声は下面伝搬路６に導かれる。下面伝搬路６に導かれた音声はさらに下面伝搬路６の内部で反射し、下面音孔５を通過して表示装置１００の下面側の外部に送出される。
【００５１】
下面音孔５を通過して表示装置１００の外部に送出された音声の一部は、例えば図９に示すように表示装置１００の下方の床面Ｆに反射して表示装置１００の前方に届く。下面音孔５が横方向に延びるスリット形状をなすので、下面音孔５を通過した音声の一部は表示装置１００の横方向へも送出される。
【００５２】
上記のように、本発明の実施形態のスピーカ構造１は、音声出力面２ａが表示装置１００の背面側を向くよう表示装置１００の内部に設けたスピーカ本体２と、音声出力面２ａと対向するよう表示装置１００の背面１００ｃに設けた背面音孔３と、音声出力面２ａと背面音孔３との間で音を伝搬させる背面伝搬路４と、表示装置１００の下面１００ａに設けた下面音孔５と、背面伝搬路４から分岐して下面音孔５まで延びて音を伝搬させる下面伝搬路６と、背面伝搬路４及び下面伝搬路６を形成するとともに背面伝搬路４及び下面伝搬路６と表示装置１００の他の内部空間とを仕切る仕切り部７と、を備える。これにより、スピーカ本体２の音声出力面２ａが表示装置１００の背面側を向くので、音声出力面２ａが表示装置１００の画面と略平行をなす。したがって、表示装置１００が大型化することを抑制しながら、表示装置１００に比較的大口径のスピーカ本体２を設けることができる。また、スピーカ構造１は背面伝搬路４と下面伝搬路６とを備えるので、音声を必要以上に拡散させることなく背面音孔３及び下面音孔５まで導くことができる。したがって、スピーカ本体２が出力する音の音孔を出るまでの減衰を抑制することが可能になる。
【００５３】
また、下面音孔５が表示装置１００の下面１００ａに設けられるので、スピーカ本体２が出力する音を表示装置１００の背面方向に加えて下面方向にも送出することができる。したがって、音が広範囲にわたって届くようにすることが可能である。
【００５４】
また、スピーカ構造１は、背面音孔３が設けられた表示装置１００の背面１００ｃの箇所が側面１００ｂに向かって湾曲している。これにより、背面音孔３は表示装置１００の２つの外平面から音を送出することができる。したがって、音がより一層広範囲にわたって届くようにすることが可能である。
【００５５】
そして、背面音孔３及び下面音孔５がスリット形状をなすので、スピーカ本体２が出力する音をスリットが延びる方向に沿って送出し易くすることができる。したがって、音が一層広範囲にわたって届くようにすることが可能である。
【００５６】
また、背面音孔３及び下面音孔５の両方は、互いの他方の音孔が設けられた方向とは異なる方向に向かって延びるスリット形状からなる。これにより、一方の音孔のスリットが、他方の音孔が存在しない方向に向かって延びる。したがって、音がより一層広範囲にわたって届くようにすることが可能である。
【００５７】
また、下面音孔５が設けられた表示装置１００の下面１００ａに、外側に向かって突出する突起部である脚部１０２を設けた。これにより、表示装置１００を床面上に設置した場合に、脚部１０２が床面Ｆに当接することで、下面音孔５と床面Ｆとの間に空間が生じる。したがって、下面音孔５が床面Ｆによって塞がれることを防止することができ、スピーカ本体２が出力する音を音孔から好適に送出することが可能になる。
【００５８】
さらに、スピーカ構造１は仕切り部７の一部がスピーカ本体２を表示装置１００の内部の所定位置で保持するためのスピーカホルダ８からなる。これにより、仕切り部７の一部がスピーカホルダ８として形成され、仕切り部７とスピーカホルダ８との各々全体を個別に形成する必要がない。したがって、音が広範囲にわたって届くようになることに加えて、スピーカ構造１の低コスト化を図ることが可能である。
【００５９】
＜第２実施形態＞
次に、本発明の第２実施形態のスピーカ構造について、図１１及び図１２を用いてその構成を説明する。図１１はスピーカ構造を示す垂直断面図、図１２はスピーカ構造の他所音孔の箇所を示す垂直断面図である。なお、この実施形態の基本的な構成は図１〜図１０を用いて説明した第１実施形態と同じであるので、第１実施形態と共通する構成要素には前と同じ符号を付し、図面の記載及びその説明を省略するものとする。
【００６０】
第２実施形態のスピーカ構造１では、図１１及び図１２に示すように下面音孔５の内面に傾斜部５ａを設けた。傾斜部５ａは下面音孔５の内面が表示装置１００の正面側に向かって延びて広がるよう形成される。
【００６１】
この構成によれば、スピーカ本体２が出力する音を表示装置１００の正面側に送出し易くすることができる。したがって、音がより一層広範囲にわたって届くようにすることが可能である。
【００６２】
＜第３実施形態＞
次に、本発明の第３実施形態のスピーカ構造について、図１３を用いてその構成を説明する。図１３はスピーカ構造を示す垂直断面図である。なお、この実施形態の基本的な構成は図１〜図１０を用いて説明した第１実施形態と同じであるので、第１実施形態と共通する構成要素には前と同じ符号を付し、図面の記載及びその説明を省略するものとする。
【００６３】
第３実施形態のスピーカ構造１は、図１３に示すように背面音孔３がスピーカ本体２の音声出力面２と略平行な方向、すなわち上方に音声出力面２ａに対して偏在している。すなわち、背面音孔３はその前後方向に延びる中心軸線ＣＬ３がスピーカ本体２の音声出力面２ａの中心軸線ＣＬ２に対して上方に変位した状態で配置される。そして、背面音孔３の偏在方向は下面伝搬路６から離れる方向である。
【００６４】
この構成によれば、スピーカ本体２が出力する音が背面音孔３に対して下面伝搬路６側、すなわち背面音孔３の下側の表示装置１００の内面に反射する割合が多くなり、音が下面伝搬路６へ向かう割合を多くすることができる。したがって、背面音孔３から送出される音量と下面音孔５から送出される音量との調節を容易に行うことが可能である。
【００６５】
以上、本発明の実施形態につき説明したが、本発明の範囲はこれに限定されるものではなく、発明の主旨を逸脱しない範囲で種々の変更を加えて実施することができる。
【００６６】
例えば、上記実施形態では、他所音孔が一つのスピーカ本体２に対して表示装置１００の下面１００ａのもの（下面音孔５）１箇所であることとしたが、他所音孔は一つのスピーカ本体２に対して１箇所に限定されるわけではなく、複数箇所に設けても良い。例えば、他所音孔を表示装置１００の側面１００ｂや上面に設けても良い。
【００６７】
また、上記実施形態では、背面音孔３及び下面音孔５のスリットが横方向に延びることとしたが、横方向とは異なる方向に延びるように構成しても良い。例えば、背面音孔３のスリットが上下方向に延び、下面音孔５のスリットが前後方向に延びるようにしても良いし、各々斜め方向に延びるようにしても良い。
【００６８】
また、背面音孔３及び下面音孔５がスリット形状をなすこととしたが、背面音孔３及び下面音孔５の形状はスリットに限定されるわけではなく、例えば円孔であっても良い。例えば、円孔を連続して繋げるように並べることにより、スリットに近い音の送出作用を得ることができる。
【００６９】
また、上記実施形態では、下面音孔５をスピーカ本体２の下方に対応する箇所、すなわち略真下に設けたが、真下から横方向に偏在する箇所に設けても良い。
【００７０】
また、表示装置１００の下面１００ａに設けた突起部である脚部１０２と同様に、表示装置１００の背面１００ｃにも突起部を設けても良い。これにより、表示装置１００の背面１００ｃを図１０に示す壁面Ｗに近接させても、突起部により背面音孔３と壁面Ｗとの間に空間が生じる。したがって、背面音孔３が壁面Ｗによって塞がれることを防止することができ、スピーカ本体２が出力する音を音孔から好適に送出することが可能になる。
【産業上の利用可能性】
【００７１】
本発明はスピーカ構造において利用可能である。
【符号の説明】
【００７２】
１    スピーカ構造
２    スピーカ本体
２ａ    音声出力面
３    背面音孔
４    背面伝搬路
５    下面音孔（他所音孔）
６    下面伝搬路（他所伝搬路）
７    仕切り部
８    スピーカホルダ
１００    表示装置
１００ａ    下面
１００ｂ    側面
１００ｃ    背面
１０１    表示部
【図１】
2015053540.tif 000003
【図２】
2015053540.tif 000004
【図３】
2015053540.tif 000005
【図４】
2015053540.tif 000006
【図５】
2015053540.tif 000007
【図６】
2015053540.tif 000008
【図７】
2015053540.tif 000009
【図８】
2015053540.tif 000010
【図９】
2015053540.tif 000011
【図１０】
2015053540.tif 000012
【図１１】
2015053540.tif 000013
【図１２】
2015053540.tif 000014
【図１３】
2015053540.tif 000015